(57)【特許請求の範囲】
【請求項１】
ファクシミリを含む複数のアイコン画像が並んだメニュー画面を表示手段に表示させ、
前記メニュー画面上のファクシミリのアイコン画像を選択する操作を受け付け、
前記選択する操作を受け付けると、指定された宛先を表示する第１画面であって、当該宛先を示す文字列を入力する操作を受け付けるためのソフトウェアキーボード画像を含む第１画面を表示手段に表示させ、
指定された宛先を表示する第２画面であって、ソフトウェアキーボード画像を含まない第２画面を表示させ、
前記第２画面の表示中に予め定められた操作が行われると、前記宛先を示す文字列を入力する操作を受け付けるためのソフトウェアキーボード画像を前記表示手段に表示させる表示制御部と、
前記第１画面及び前記第２画面を切り替える第１切替部と
を備える情報処理装置。
【請求項２】
前記表示制御部は、前記選択する操作を受け付けると、前記第１画面と前記第２画面のうち、予め定められた方の画面を前記表示手段に表示させる
請求項１に記載の情報処理装置。
【請求項３】
前記表示制御部は、予め定められた数未満の宛先を含む画面を前記第１画面として表示させ、前記数以上の宛先を含む画面を前記第２画面として表示させる
請求項１又は２に記載の情報処理装置。
【請求項４】
前記表示制御部は、登録された複数の宛先から１以上の宛先をユーザに選択させる第３画面を前記表示手段に表示させ、
前記第３画面において前記予め定められた数未満の宛先が選択された場合には前記第３画面から前記第１画面に切り替え、当該数以上の宛先が選択された場合には前記第３画面から前記第２画面に切り替える第２切替部を備える
請求項３に記載の情報処理装置。
【請求項５】
前記第２画面に表示されている宛先を削除する操作を受け付ける受付部と、
前記受付部が受け付けた操作により前記第２画面に表示されている宛先の数が前記予め定められた数以上から当該数未満になった場合に、当該第２画面から前記第１画面に切り替える第３切替部とを備える
請求項３又は４に記載の情報処理装置。
【請求項６】
前記第１画面及び前記第２画面が切り替わる場合に、切り替え前の画面に表示されている宛先が切り替え後の画面にも表示されるように引き継がせる引継部を備える
請求項１から５のいずれか１項に記載の情報処理装置。
【請求項７】
前記表示制御部は、前記第１画面及び前記第２画面が切り替わる場合に、切り替え前の画面に表示される宛先のうちのいずれかをユーザに選択させる第４画面を前記表示手段に表示させ、
前記引継部は、前記第４画面でユーザが選択した宛先を引き継がせる
請求項６に記載の情報処理装置。
【請求項８】
前記引継部は、最初又は最後に指定された宛先を引き継がせる
請求項６又は７に記載の情報処理装置。
【請求項９】
前記第１画面及び前記第２画面で指定された宛先への送信履歴を記憶する履歴記憶部を備え、
前記引継部は、記憶された前記送信履歴が表す送信の頻度に応じて決まる宛先を引き継がせる
請求項６から８のいずれか１項に記載の情報処理装置。
【請求項１０】
前記表示制御部は、登録された複数の宛先から１以上の宛先をユーザに選択させる第３画面を前記表示手段に表示させ、前記ソフトウェアキーボード画像の操作により指定された宛先と、前記第３画面で選択された宛先とを前記第２画面に表示させ、
前記引継部は、前記ソフトウェアキーボード画像の操作により指定された宛先を、前記第３画面で選択された宛先よりも優先して引き継がせる
請求項６から９のいずれか１項に記載の情報処理装置。
【請求項１１】
前記第１画面及び前記第２画面には最初に表示される宛先が決まっており、
前記引継部は、前記最初に表示される宛先だけを引き継がせる
請求項６から１０のいずれか１項に記載の情報処理装置。
【請求項１２】
前記表示制御部は、前記第１画面及び前記第２画面が切り替わる場合に、切り替え前の画面に表示されている宛先を含まない画面を表示させる
請求項１から５のいずれか１項に記載の情報処理装置。
【請求項１３】
情報が送信された宛先を記憶する宛先記憶部と、
前記表示制御部は、前記第１画面又は前記第２画面のいずれかの画面が表示される場合に、当該いずれかの画面で過去に表示された宛先が前記宛先記憶部に記憶されているときには、当該宛先を表示させる
請求項１から１２のいずれか１項に記載の情報処理装置。
【発明の詳細な説明】
【技術分野】
【０００１】
本発明は、情報処理装置に関する。
【背景技術】
【０００２】
特許文献１には、宛先を指定するとその宛先の電話番号が宛先リストに追加される宛先指定画面が表示されているときに同報ボタンがオンされると、同報宛先リストを表示させる技術が開示されている。
【先行技術文献】
【特許文献】
【０００３】
【特許文献１】特開２０１３−０８８８３３号公報
【発明の概要】
【発明が解決しようとする課題】
【０００４】
操作用のボタンがソフトウェア化されると、宛先を指定するための入力用画像（ソフトウェアキーボード等）を画面に表示して宛先を指定させることになるが、ソフトウェアキーボードを表示させないようになっている場合、ソフトウェアキーボードを表示させるための操作が必要になる。しかし、この操作が常に必要になるとユーザにとって手間になる。
【課題を解決するための手段】
【０００５】
本発明の請求項１に係る情報処理装置は、ファクシミリを含む複数のアイコン画像が並んだメニュー画面を表示手段に表示させ、前記メニュー画面上のファクシミリのアイコン画像を選択する操作を受け付け、記選択する操作を受け付けると、指定された宛先を表示する第１画面であって、当該宛先を示す文字列を入力する操作を受け付けるためのソフトウェアキーボード画像を含む第１画面を表示手段に表示させ、指定された宛先を表示する第２画面であって、ソフトウェアキーボード画像を含まない第２画面を表示させ、前記第２画面の表示中に予め定められた操作が行われると、前記宛先を示す文字列を入力する操作を受け付けるためのソフトウェアキーボード画像を前記表示手段に表示させる表示制御部と、前記第１画面及び前記第２画面を切り替える第１切替部と
を備えること
を特徴とする。
【０００６】
本発明の請求項２に係る情報処理装置は、請求項１に記載の構成において、前記表示制御部は、前記選択する操作を受け付けると、前記第１画面と前記第２画面のうち、予め定められた方の画面を前記表示手段に表示させることを特徴とする。
本発明の請求項３に係る情報処理装置は、請求項１又は２に記載の構成において、前記表示制御部は、予め定められた数未満の宛先を含む画面を前記第１画面として表示させ、前記数以上の宛先を含む画面を前記第２画面として表示させることを特徴とする。
【０００７】
本発明の請求項４に係る情報処理装置は、請求項３に記載の構成において、前記表示制御部は、登録された複数の宛先から１以上の宛先をユーザに選択させる第３画面を前記表示手段に表示させ、前記第３画面において前記予め定められた数未満の宛先が選択された場合には前記第３画面から前記第１画面に切り替え、当該数以上の宛先が選択された場合には前記第３画面から前記第２画面に切り替える第２切替部を備えることを特徴とする。
【０００８】
本発明の請求項５に係る情報処理装置は、請求項３又は４に記載の構成において、前記第２画面に表示されている宛先を削除する操作を受け付ける受付部と、前記受付部が受け付けた操作により前記第２画面に表示されている宛先の数が前記予め定められた数以上から当該数未満になった場合に、当該第２画面から前記第１画面に切り替える第３切替部とを備えることを特徴とする。
【０００９】
本発明の請求項６に係る情報処理装置は、請求項１から５のいずれか１項に記載の構成において、前記第１画面及び前記第２画面が切り替わる場合に、切り替え前の画面に表示されている宛先が切り替え後の画面にも表示されるように引き継がせる引継部を備えることを特徴とする。
【００１０】
本発明の請求項７に係る情報処理装置は、請求項６に記載の構成において、前記表示制御部は、前記第１画面及び前記第２画面が切り替わる場合に、切り替え前の画面に表示される宛先のうちのいずれかをユーザに選択させる第４画面を前記表示手段に表示させ、前記引継部は、前記第４画面でユーザが選択した宛先を引き継がせることを特徴とする。
【００１１】
本発明の請求項８に係る情報処理装置は、請求項６又は７に記載の構成において、前記引継部は、最初又は最後に指定された宛先を引き継がせることを特徴とする。
【００１２】
本発明の請求項９に係る情報処理装置は、請求項６から８のいずれか１項に記載の構成において、前記第１画面及び前記第２画面で指定された宛先への送信履歴を記憶する履歴記憶部を備え、前記引継部は、記憶された前記送信履歴が表す送信の頻度に応じて決まる宛先を引き継がせることを特徴とする。
【００１３】
本発明の請求項１０に係る情報処理装置は、請求項６から９のいずれか１項に記載の構成において、前記表示制御部は、登録された複数の宛先から１以上の宛先をユーザに選択させる第３画面を前記表示手段に表示させ、前記ソフトウェアキーボード画像の操作により指定された宛先と、前記第３画面で選択された宛先とを前記第２画面に表示させ、前記引継部は、前記ソフトウェアキーボード画像の操作により指定された宛先を、前記第３画面で選択された宛先よりも優先して引き継がせることを特徴とする。
【００１４】
本発明の請求項１１に係る情報処理装置は、請求項６から１０のいずれか１項に記載の構成において、前記第１画面及び前記第２画面には最初に表示される宛先が決まっており、前記引継部は、前記最初に表示される宛先だけを引き継がせることを特徴とする。
【００１５】
本発明の請求項１２に係る情報処理装置は、請求項１から５のいずれか１項に記載の構成において、前記表示制御部は、前記第１画面及び前記第２画面が切り替わる場合に、切り替え前の画面に表示されている宛先を含まない画面を表示させることを特徴とする。
【００１６】
本発明の請求項１３に係る情報処理装置は、請求項１から１２のいずれか１項に記載の構成において、情報が送信された宛先を記憶する宛先記憶部と、前記表示制御部は、前記第１画面又は前記第２画面のいずれかの画面が表示される場合に、当該いずれかの画面で過去に表示された宛先が前記宛先記憶部に記憶されているときには、当該宛先を表示させることを特徴とする。
【発明の効果】
【００１７】
請求項１に係る発明によれば、宛先を指定するための画面において、宛先を指定する操作に用いる画像を表示させる操作が常に必要な場合に比べて、ユーザの操作の手間を少なくすることができる。
請求項３に係る発明によれば、表示される宛先の数が予め定められた数未満である場合に、前述のようにユーザの操作の手間を少なくすることができる。
請求項４に係る発明によれば、第２切替部による画面の切り替えが行われない場合に比べて、ユーザの手間を小さくすることができる。
請求項５に係る発明によれば、第３切替部による画面の切り替えが行われない場合に比べて、ユーザの手間を小さくすることができる。
請求項６に係る発明によれば、宛先の引き継ぎが行われない場合に比べて、宛先を表示するための画面の切り替えの際の操作の手間を少なくすることができる。
請求項７に係る発明によれば、引き継がせる宛先をユーザが決めることができる。
請求項８に係る発明によれば、他の宛先に比べて重要な可能性が高い宛先を引き継せることができる。
請求項９に係る発明によれば、送信の頻度に関係なく決まった宛先が引き継がれる場合に比べて、宛先を指定するユーザの手間を小さくすることができる。
請求項１０に係る発明によれば、宛先の指定方法に関係なく決まった宛先が引き継がれる場合に比べて、宛先を指定するユーザの手間を小さくすることができる。
請求項１１に係る発明によれば、宛先を表示するための画面の切り替えが行われると、切り替え前の状況に関わらず、毎回決まった状態で画面を表示させることができる。
請求項１２に係る発明によれば、宛先の引き継ぎが行われる場合に比べて、切り替え後の画面で宛先を削除する操作を不要にすることができる。
請求項１３に係る発明によれば、一度指定された宛先を、まだ指定されていない宛先に比べて簡単に指定することができる。
【図面の簡単な説明】
【００１８】
【図１】実施例に係る表示装置のハードウェア構成を表す図
【図２】画像処理装置が実現する機能構成を表す図
【図３】画像処理装置のメニュー画面の一例を表す図
【図４】第１表示制御部が表示させる宛先表示画面の一例を表す図
【図５】表示された電話帳の一例を表す図
【図６】表示された設定画面の一例を表す図
【図７】表示された切替確認画面の一例を表す図
【図８】第２表示制御部が表示させる宛先表示画面の一例を表す図
【図９】テンキー表示制御部が表示させたテンキー画像の一例を表す図
【図１０】宛先が表示された宛先表示画面Ａ６の一例を表す図
【図１１】表示された切替確認画面の一例を表す図
【図１２】引き継がれた宛先の一例を表す図
【図１３】第１切替処理における画像処理装置の動作手順の一例を表す図
【図１４】第２切替処理における画像処理装置の動作手順の一例を表す図
【図１５】変形例の第１表示制御部が表示させる宛先表示画面の一例を表す図
【図１６】変形例の画像処理装置が実現する機能構成を表す図
【図１７】変形例の画面遷移の一例を表す図
【図１８】変形例の画像処理装置が実現する機能構成を表す図
【図１９】変形例の画面遷移の一例を表す図
【図２０】変形例の画像処理装置が実現する機能構成を表す図
【図２１】変形例の画面遷移の一例を表す図
【図２２】変形例の画面遷移の一例を表す図
【図２３】変形例の画像処理装置が実現する機能構成を表す図
【図２４】表示される宛先表示画面の例を表す図
【発明を実施するための形態】
【００１９】
［１］実施例
図１は実施例に係る画像処理装置１０のハードウェア構成を表す。画像処理装置１０は、用紙等の媒体から画像を読み取り、読み取った画像データをファクシミリ通信で宛先に送信する機能を備える。画像処理装置１０は、ＣＰＵ（Central Processing Unit）１１と、ＲＡＭ（Random Access Memory）１２と、ＲＯＭ（Read Only Memory）１３と、ＮＩＣ（Network Interface Card）１４と、ストレージ１５と、イメージスキャナ１６と、ＦＡＸモデム１７と、操作パネル１８とを備えるコンピュータである。
【００２０】
ＣＰＵ１１は、ＲＡＭ１２をワークエリアとして用いてＲＯＭ１３やストレージ１５に記憶されているプログラムを実行することによって各部の動作を制御する。ＮＩＣ１４は、通信回路を有し、外部装置と通信を行う。ストレージ１５は、ＨＤＤ（Hard Disk Drive）やＳＳＤ（Solid State Drive）などの記憶媒体であり、ＣＰＵ１１が制御に用いるデータやプログラムを記憶している。
【００２１】
イメージスキャナ１６は、イメージセンサなどを備え、自装置にセットされた原稿の表面に表された画像を光学的に読み取る。イメージスキャナ１６は、読み取った画像を表す画像データをＣＰＵ１１に供給する。ＦＡＸモデム１７は、ファクシミリ通信を行うための通信回路を有し、ＦＡＸ番号で指定される宛先への画像データの送信と、自装置に割り当てられたＦＡＸ番号宛に送信されてきた画像データの受信とを行う。操作パネル１８は、ディスプレイと、ディスプレイの表面に設けられたタッチパネルとを備える。操作パネル１８は、ディスプレイの表示面に画像を表示する表示手段であるとともに、ユーザからの操作を受け付ける操作受付手段である。
【００２２】
ＣＰＵ１１がプログラムを実行して各部を制御することで、以下に述べる機能が実現される。
図２は画像処理装置１０が実現する機能構成を表す。画像処理装置１０は、宛先画面表示操作受付部１００と、第１表示制御部１０１と、第１テンキー操作受付部１０２と、第２表示制御部１１１と、テンキー表示操作受付部１１２と、テンキー表示制御部１１３と、第２テンキー操作受付部１１４と、一覧表示操作受付部１２１と、宛先一覧表示制御部１２２と、宛先一覧操作受付部１２３と、画面切替操作受付部１３１と、引継対象表示制御部１３２と、引継対象選択操作受付部１３３と、宛先引継部１３４と、画面切替部１３５と、送信操作受付部１４１と、画像読取部１４２と、情報送信部１４３とを備える。
【００２３】
宛先画面表示操作受付部１００は、ファクシミリの宛先を指定する宛先画面を表示させる操作を受け付ける。宛先画面表示操作受付部１００は、この操作として、例えば自装置のメニュー画面で行われる操作を受け付ける。
図３は画像処理装置１０のメニュー画面の一例を表す。図３の例では、アイコン画像Ｂ１からＢ６までが表示されたメニュー画面Ａ１が操作パネル１８に表示されている。このうちのアイコン画像Ｂ２には「ＦＡＸ」という文字列が表されている。宛先画面表示操作受付部１００は、このアイコン画像Ｂ２を選択する操作を、宛先画面を表示させる操作として受け付ける。
【００２４】
宛先画面表示操作受付部１００は、宛先画面を表示させる操作を受け付けると、第１表示制御部１０１及び第２表示制御部１１１のうち、例えば設定で定められた方にこの操作が受け付けられたことを通知する。以下では、第１表示制御部１０１にこの通知がされる場合を説明する。
【００２５】
第１表示制御部１０１は、指定された宛先を表示するための宛先表示画面を表示手段である操作パネル１８に表示させる。
図４は第１表示制御部１０１が表示させる宛先表示画面の一例を表す。図４の例では、「ＦＡＸ（単送信モード）」という文字列を含む宛先表示画面Ａ２が表されている。第１表示制御部１０１は、宛先表示欄Ｃ１と、テンキー画像Ｃ２と、送信操作用画像Ｃ３と、電話帳画像Ｃ４と、設定操作用画像Ｃ５とを含む宛先表示画面Ａ２を表示させている。
【００２６】
宛先表示欄Ｃ１は、ユーザが指定した宛先を表示する表示欄である。テンキー画像Ｃ２は、宛先を示す文字列を入力する操作を受け付けるための画像である。送信操作用画像Ｃ３は、指定された宛先への送信を指示する操作を受け付けるための画像である。電話帳画像Ｃ４は、宛先が登録された電話帳を表示させる操作を受け付けるための画像である。設定操作用画像Ｃ５は、後述する設定を変更する操作を受け付けるための画像である。テンキー画像Ｃ２は本発明の「第１画像」の一例であり、テンキー画像Ｃ２を含む宛先表示画面Ａ２は本発明の「第１画面」の一例である。
【００２７】
第１表示制御部１０１は、表示させたテンキー画像Ｃ２の各キーの位置情報（位置を表す情報）を第１テンキー操作受付部１０２に供給し、表示させた送信操作用画像Ｃ３の位置情報と宛先表示欄Ｃ１に表示させている宛先を送信操作受付部１４１に供給する。また、第１表示制御部１０１は、表示させた電話帳画像Ｃ４の位置情報を一覧表示操作受付部１２１に供給し、表示させた設定操作用画像Ｃ５の位置情報を画面切替操作受付部１３１に供給する。
【００２８】
ユーザがテンキー画像Ｃ２を操作してＦＡＸ番号を表す各数字をそれぞれ入力すると、第１テンキー操作受付部１０２が供給された位置情報に基づいてそれらの操作を受け付ける。第１テンキー操作受付部１０２は、受け付けた操作により入力された数字を第１表示制御部１０１に供給する。第１表示制御部１０１は、供給された数字により表されるＦＡＸ番号、すなわち指定されたＦＡＸ番号を宛先表示欄Ｃ１に表示させる。その状態でユーザが送信操作用画像Ｃ３を押す操作を行うと、送信操作受付部１４１が、その操作を、指定された宛先へのＦＡＸの送信を指示する操作として受け付ける。
【００２９】
送信操作受付部１４１は、この操作を受け付けると、その旨を画像読取部１４２に通知するとともに、第１表示制御部１０１から供給された宛先、すなわち宛先表示欄Ｃ１に表示されている宛先を情報送信部１４３に供給する。画像読取部１４２は、この通知を受け取ると、自装置にセットされた原稿から画像を読み取り、読み取った画像のデータを情報送信部１４３に供給する。情報送信部１４３は、画像読取部１４２から供給された画像のデータを、送信操作受付部１４１から供給された宛先に送信する。
【００３０】
ユーザが電話帳画像Ｃ４を押す操作を行うと、一覧表示操作受付部１２１がその操作を、電話帳を表示させる操作として受け付ける。一覧表示操作受付部１２１は、この操作を受け付けると、その旨を宛先一覧表示制御部１２２に通知する。宛先一覧表示制御部１２２は、この通知を受け取ると、電話帳から宛先を選択させる画面、すなわち、電話帳に登録された複数の宛先から１以上の宛先をユーザに選択させる画面を表示手段に表示させる。
【００３１】
図５は表示された電話帳の一例を表す。図５の例では、宛先一覧表示制御部１２２が、「電話帳」という文字列を含む電話帳画面Ａ３を表示させている。電話帳画面Ａ３は本発明の「第３画面」の一例であり、宛先一覧表示制御部１２２は本発明の「第３表示制御部」の一例である。電話帳画面Ａ３には、宛先一覧表示欄Ｃ１１と、チェック欄画像Ｃ１２と、キャンセル画像Ｃ１３と、一覧ボタン画像Ｃ１４と、検索ボタン画像Ｃ１５と、宛先確定操作用画像Ｃ１６とが含まれている。宛先一覧表示欄Ｃ１１には、例えばユーザによって予め登録された宛先を表す宛先情報が表示されている。チェック欄画像Ｃ１２には、ユーザが選択した宛先を示すチェック画像が表示されている（この例では一番上の宛先が選択されている）。
【００３２】
キャンセル画像Ｃ１３を押す操作がされると、電話帳画面Ａ３の表示がキャンセルされて、図４に表す宛先表示画面Ａ２に表示が戻る。検索ボタン画像Ｃ１５を押す操作がされると、宛先一覧表示欄Ｃ１１が表示される画面から宛先を検索するための検索画面に切り替わり、その検索画面で一覧ボタン画像Ｃ１４を押す操作がされると、再び宛先一覧表示欄Ｃ１１が表示される画面に切り替わる。宛先確定操作用画像Ｃ１６を押す操作がされると、チェック欄画像Ｃ１２においてチェックされている宛先、すなわちユーザが選択した宛先が確定する。
【００３３】
宛先一覧操作受付部１２３は、これらの操作を受け付けて、ユーザが選択した宛先を第１表示制御部１０１に供給する。第１表示制御部１０１は、供給された宛先、すなわち電話帳画面Ａ３でユーザが選択した宛先を、図４に表す宛先表示欄Ｃ１に表示させる。このように、ユーザは、宛先表示画面Ａ２において、テンキー画像Ｃ２を操作して宛先を指定する方法と、電話帳画面Ａ３で選択した宛先を指定する方法とを用いて、ＦＡＸの宛先を指定する。
【００３４】
宛先表示画面Ａ２において設定操作用画像Ｃ５を押す操作が行われると、設定画面が表示される。
図６は表示された設定画面の一例を表す。図６の例では、設定画面Ａ４に、「単送信モード・同報モード」の設定を表す設定欄Ｃ２１と、これらのモードを切り替える操作を受け付けるための切替操作用画像Ｃ２２とが表示されている。単送信モードとは、１つの宛先を指定して情報を送信するモードであり、同報モードとは、２以上の宛先を指定して情報を送信するモードである。ユーザが切替操作用画像Ｃ２２を押す操作を行うと、モードの切り替えの良否を確認する切替確認画面が表示される。
【００３５】
図７は表示された切替確認画面の一例を表す。図７の例では、「同報モードに切り替わります」という文字列と、切替確定操作用画像Ｃ３１とを含む切替確認画面Ａ５が表示されている。画面切替操作受付部１３１は、この切替確定操作用画像Ｃ３１を押す操作をユーザが行うと、この操作を単送信モードから同報モードに切り替える操作として受け付け、その旨を画面切替部１３５に通知する。
【００３６】
画面切替部１３５は、第１表示制御部１０１が表示させる画面と第２表示制御部１１１が表示させる画面とを切り替える。画面切替部１３５は本発明の「第１切替部」の一例である。画面切替部１３５は、図７の例では、画面切替操作受付部１３１からの通知を受け取ると、第１表示制御部１０１が表示させていた宛先表示画面Ａ２から、第２表示制御部１１１が表示させる画面への切り替えを行う。具体的には、画面切替部１３５は、第２表示制御部１１１に対して、同報モードでの宛先表示画面を表示するよう指示することで、この切り替えを行う。
【００３７】
第２表示制御部１１１は、第１表示制御部１０１のように、指定された宛先を表示する宛先表示画面を表示手段である操作パネル１８に表示させる。
図８は第２表示制御部１１１が表示させる宛先表示画面の一例を表す。図８の例では、「ＦＡＸ（同報モード）」という文字列を含む宛先表示画面Ａ６が表されている。第２表示制御部１１１は、図４に表す送信操作用画像Ｃ３、電話帳画像Ｃ４及び設定操作用画像Ｃ５の他に、宛先追加操作用画像Ｃ４１を含む宛先表示画面Ａ６を表示させている。一方、第２表示制御部１１１は、図４に表すテンキー画像Ｃ２、すなわち宛先を示す文字列を入力する操作を受け付けるための画像を含まない宛先表示画面Ａ６を表示させている。
【００３８】
第２表示制御部１１１は、表示させた送信操作用画像Ｃ３の位置情報を送信操作受付部１４１に供給し、表示させた電話帳画像Ｃ４の位置情報を一覧表示操作受付部１２１に供給し、表示させた設定操作用画像Ｃ５の位置情報を画面切替操作受付部１３１に供給する。また、第２表示制御部１１１は、表示させた宛先追加操作用画像Ｃ４１の位置情報をテンキー表示操作受付部１１２に供給する。
【００３９】
ユーザが宛先追加操作用画像Ｃ４１を押す操作を行うと、テンキー表示操作受付部１１２が、供給された位置情報に基づいて、その操作を、テンキー画像を表示させるための操作として受け付ける。テンキー表示操作受付部１１２は、上記操作を受け付けるとその旨をテンキー表示制御部１１３に通知する。テンキー表示制御部１１３は、この通知を受け取ると、すなわち、宛先表示画面Ａ６の表示中にテンキー画像を表示させるための操作が行われると、そのテンキー画像を表示手段に表示させる。
【００４０】
図９はテンキー表示制御部１１３が表示させたテンキー画像の一例を表す。図９の例では、テンキー表示制御部１１３が、第１表示制御部１０１は、宛先表示欄Ｃ５１と、テンキー画像Ｃ５２と、宛先追加操作用画像Ｃ５３と、電話帳画像Ｃ４とを含む宛先指定画面Ａ７を表示させている。宛先表示欄Ｃ５１は、ユーザが指定した宛先を表示する表示欄である。テンキー画像Ｃ５２は、宛先を示す文字列を入力する操作を受け付けるための画像である。宛先追加操作用画像Ｃ５３は、指定された宛先を図８に表す宛先表示画面Ａ６で表示される宛先に追加する操作を受け付けるための画像である。テンキー画像Ｃ５２は本発明の「第２画像」の一例であり、テンキー画像Ｃ５２を表示させるテンキー表示制御部１１３は本発明の「画像表示制御部」の一例である。
【００４１】
テンキー表示制御部１１３は、表示させたテンキー画像Ｃ５２の各キーの位置情報を第２テンキー操作受付部１１４に供給する。ユーザがテンキー画像Ｃ５２を操作してＦＡＸ番号を表す各数字をそれぞれ入力すると、第２テンキー操作受付部１１４が供給された位置情報に基づいてそれらの操作を受け付ける。第２テンキー操作受付部１１４は、受け付けた操作により入力された数字を第２表示制御部１１１に供給する。第２表示制御部１１１は、供給された数字により表されるＦＡＸ番号、すなわち指定されたＦＡＸ番号を宛先表示画面Ａ６に表示させる。なお、宛先指定画面Ａ７における宛先の指定は、図５に表す電話帳画面Ａ３で行われてもよい。
【００４２】
図１０は宛先が表示された宛先表示画面Ａ６の一例を表す。図１０の例では、第２表示制御部１１１が、宛先指定画面Ａ７で指定された宛先の一覧Ｃ４２を含む宛先表示画面Ａ６を表示させている。宛先の一覧Ｃ４２には、２以上の宛先が含まれている。このように、宛先表示画面Ａ６では、２以上の宛先が表示される。宛先表示画面Ａ６は本発明の「第２画面」の一例である。一方、図４に表す宛先表示画面Ａ２では、２以上の宛先が表示されず、１つの宛先だけが表示される。
【００４３】
宛先表示画面Ａ６において設定操作用画像Ｃ５を押す操作が行われると、図６に表す設定画面Ａ４が表示される。画像処理装置１０においては、同報モードで指定された宛先のうちのいずれかを単送信モードに引き継がせるようになっている。そこで、切替操作用画像Ｃ２２に対する操作が行われて、同報モードの宛先表示画面から単送信モードの宛先表示画面に切り替わる場合に、引継対象表示制御部１３２が、単送信モードへの切り替えの良否と、単送信モードに引き継ぐ宛先とを確認する切替確認画面を表示させる。
【００４４】
図１１は表示された切替確認画面の一例を表す。図１１の例では、引継対象表示制御部１３２が、「単送信モードに切り替わります。引き継ぐ宛先を選択して下さい。」という文字列と、キャンセル画像Ｃ５５と、引継宛先選択画像Ｃ５６とを含む切替確認画面Ａ８を表示させている。キャンセル画像Ｃ５５を押す操作が行われると、単送信モードへの切り替えが行われず、第２表示制御部１１１が再び宛先表示画面Ａ６を表示させる。
【００４５】
引継宛先選択画像Ｃ５６は、同報モードでユーザによって指定された宛先の一覧を表す画像であり、同報モードから単送信モードに引き継がせる宛先を選択する操作を受け付けるための画像である。引継対象表示制御部１３２は、このように、引継宛先選択画像Ｃ５６を含む切替確認画面Ａ８、すなわち、切り替え前の画面（本実施例では宛先表示画面Ａ６）に表示される宛先のうちのいずれかをユーザに選択させる画面、を表示手段に表示させる。切替確認画面Ａ８は本発明の「第４画面」の一例であり、引継対象表示制御部１３２は本発明の「第４表示制御部」の一例である。引継対象表示制御部１３２は、各宛先の位置情報を引継対象選択操作受付部１３３に供給する。
【００４６】
引き継がせたい宛先をこの一覧から選択する操作をユーザが行うと、引継対象選択操作受付部１３３は、供給された位置情報に基づいて、この操作を、選択された宛先を引継対象にする操作として受け付け、その宛先を宛先引継部１３４に供給する。宛先引継部１３４は、宛先表示画面Ａ２及び宛先表示画面Ａ６が切り替わる場合に、切り替え前の画面に表示されている宛先が切り替え後の画面にも表示されるように引き継がせる。宛先引継部１３４は本発明の「引継部」の一例である。
【００４７】
宛先引継部１３４は、本実施例では、切替確認画面Ａ８でユーザが選択した宛先を引き継がせる。宛先引継部１３４は、具体的には、引継対象選択操作受付部１３３から供給された宛先を第１表示制御部１０１に供給することで、宛先を引き継がせる。第１表示制御部１０１は、宛先引継部１３４から供給された宛先を、宛先表示画面Ａ２の宛先表示欄Ｃ１に表示させる。
【００４８】
図１２は引き継がれた宛先の一例を表す。図１２の例では、第１表示制御部１０１は、図１１に表す「０３−１２３４−ｚｚｚｚ」という宛先を引き継いで宛先表示欄Ｃ１に表示させている。
画像処理装置１０は、以上の構成を備えることで、単送信モードの宛先表示画面から同報モードの宛先表示画面へ画面を切り替える第１切替処理と、同報モードの宛先表示画面から単送信モードの宛先表示画面へ画面を切り替える第２切替処理とを行う。
【００４９】
図１３は第１切替処理における画像処理装置１０の動作手順の一例を表す。この動作手順は、ユーザが単送信モードの宛先表示画面を表示させる操作を行うこと（例えば図３に表すアイコン画像Ｂ２を選択する操作）を契機に開始される。まず、画像処理装置１０（第１表示制御部１０１）は、単送信モードの宛先表示画面（例えば図４に表す宛先表示画面Ａ２）を表示手段に表示させる（ステップＳ１１）。
【００５０】
次に、画像処理装置１０（画面切替操作受付部１３１）が、宛先表示画面を切り替える操作を受け付ける（ステップＳ１２）。続いて、画像処理装置１０（画面切替部１３５）が、宛先表示画面を切り替える指示（この例では同報モードの宛先表示画面の表示の指示）を行う（ステップＳ１３）。そして、画像処理装置１０（第２表示制御部１１１）は、同報モードの宛先表示画面（例えば図８に表す宛先表示画面Ａ６）を表示手段に表示させる（ステップＳ１４）。
【００５１】
図１４は第２切替処理における画像処理装置１０の動作手順の一例を表す。この動作手順は、ユーザが同報モードの宛先表示画面を表示させる操作を行うこと（例えば図１３の例で述べた宛先表示画面の切り替えの操作）を契機に開始される。まず、画像処理装置１０（第２表示制御部１１１）は、同報モードの宛先表示画面（例えば図８に表す宛先表示画面Ａ６）を表示手段に表示させる（ステップＳ２１）。次に、画像処理装置１０（画面切替操作受付部１３１）が、宛先表示画面を切り替える操作を受け付ける（ステップＳ２２）。続いて、画像処理装置１０（引継対象表示制御部１３２）が、引き継がせる宛先の選択画面（例えば図１１に表す切替確認画面Ａ８）を表示させる（ステップＳ２３）。
【００５２】
次に、画像処理装置１０（引継対象選択操作受付部１３３）が、引き継がせる宛先を選択する操作を受け付ける（ステップＳ２４）。続いて、画像処理装置１０（画面切替部１３５）が、宛先表示画面を切り替える指示（この例では単送信モードの宛先表示画面の表示の指示）を行う（ステップＳ２５）。次に、画像処理装置１０（宛先引継部１３４）が、引き継がれる宛先の表示を指示する（ステップＳ２６）。そして、画像処理装置１０（第１表示制御部１０１）は、引き継がれた宛先を含む単送信モードの宛先表示画面（例えば図１２に表す宛先表示画面Ａ６）を表示手段に表示させる（ステップＳ２７）。
【００５３】
本実施例では、同報モードでは、図８に表す宛先表示画面Ａ６を表示させても、宛先追加操作用画像Ｃ４１を押す操作を行わなければ図９に表すテンキー画像Ｃ５２が表示されないが、単送信モードでは、図４に表す宛先表示画面Ａ２を表示させれば、テンキー画像Ｃ２が含まれているので、テンキー画像を表示させる操作が必要なく、そのまま指定したい宛先を表す各文字の指定が行われる。このように、本実施例によれば、宛先を指定するための画面において、宛先を指定する操作に用いる画像（本実施例ではテンキー画像）を表示させる操作が常に必要な場合に比べて、ユーザの操作の手間が少なくなっている。
【００５４】
また、本実施例では、単送信モード、すなわち宛先表示画面に表示される宛先の数が１つである場合に、前述のようにユーザの操作の手間が少なくなっている。また、本実施例では、宛先表示画面の切り替えの際に、宛先の引き継ぎが行われている。これより、宛先の引き継ぎが行われない場合に比べて、宛先表示画面の切り替えの際の操作の手間が少なくなっている。また、本実施例では、図１１に表す切替確認画面Ａ８が表示されることで、引き継がせる宛先をユーザが決めることになる。
【００５５】
［２］変形例
上述した実施例は本発明の実施の一例に過ぎず、以下のように変形させてもよい。また、実施例及び各変形例は、必要に応じて組み合わせて実施してもよい。
【００５６】
［２−１］表示する宛先の数
第１表示制御部１０１は、実施例では宛先を１つだけ含む宛先表示画面を表示させたが、これに限らず、２以上の宛先を含む宛先表示画面を表示させてもよい。
図１５は本変形例の第１表示制御部１０１が表示させる宛先表示画面の一例を表す。図１５の例では、第１表示制御部１０１が、第１宛先表示欄Ｃ６１と、第２宛先表示欄Ｃ６２と、テンキー画像Ｃ６３とを含む宛先表示画面Ａ２ａを操作パネル１８ａに表示させている。
【００５７】
テンキー画像Ｃ６３は図４に表すテンキー画像Ｃ２と共通のサイズであり、各宛先表示欄は、図４に表す宛先表示欄Ｃ１と共通のサイズである。一方、操作パネル１８ａは、図４に表す操作パネル１８よりも表示画面が大きい。そのため、２つの宛先表示欄が表示されても、テンキー画像がサイズを小さくすることなく表示されている。このように、表示画面のサイズに余裕があれば、第１表示制御部１０１が２以上の宛先を含む宛先表示画面を表示させてもよい。
【００５８】
その場合でも、第１表示制御部１０１は、予め定められた数未満の宛先を含む画面を宛先表示画面として表示させ、第２表示制御部１１１は、その数以上の宛先を含む画面を宛先表示画面として表示させることが望ましい。予め定められた数とは、例えばテンキー画像とともに表示される宛先がその数未満であれば、そのテンキー画像がユーザの操作しやすい大きさとなる場合の数である。その場合でも、宛先表示画面に表示される宛先の数が予め定められた数未満である場合に、実施例のようにユーザの操作の手間が少なくなっている。
【００５９】
［２−２］選択する宛先の数
図５に表す電話帳画面Ａ３が表示された場合に、ユーザが選択する宛先の数によって、次に表示される宛先表示画面が異なっていてもよい。
図１６は本変形例の画像処理装置１０ｂが実現する機能構成を表す。画像処理装置１０ｂは、第１表示制御部１０１と、第２表示制御部１１１と、一覧表示操作受付部１２１と、宛先一覧表示制御部１２２と、宛先一覧操作受付部１２３と、第２画面切替部１３６とを備える。なお、図１６では、本変形例の説明に関係のない機能は図示を省いている（以降の機能構成図も同様）。
【００６０】
宛先一覧操作受付部１２３は、図５に表す電話帳画面Ａ３においてユーザによる選択の操作を受け付けた宛先を第２画面切替部１３６に供給する。第２画面切替部１３６は、電話帳画面Ａ３において予め定められた数未満の宛先（以下の例では１つの宛先）が選択された場合には電話帳画面Ａ３から単送信モードの宛先表示画面に切り替え、その数以上の宛先（以下の例では２以上の宛先）が選択された場合には電話帳画面Ａ３から同報モードの宛先表示画面に切り替える。第２画面切替部１３６は本発明の「第２切替部」の一例である。
【００６１】
第２画面切替部１３６は、切り替え先の画面が単送信モードの宛先表示画面であれば、宛先一覧操作受付部１２３から供給された宛先を第１表示制御部１０１に供給して宛先表示画面を表示するよう指示し、切り替え先の画面が同報モードの宛先表示画面であれば、その宛先を第２表示制御部１１１に供給して宛先表示画面を表示するよう指示する。これにより、第２画面切替部１３６は、電話帳画面Ａ３からの画面の切り替えを行う。
【００６２】
図１７は本変形例の画面遷移の一例を表す。図１７（ａ）では、電話帳画面Ａ３において１つの宛先が選択されており、この状態で宛先確定操作用画像Ｃ１６を押す操作がされると、第２画面切替部１３６は、単送信モードの宛先表示画面Ａ２に画面を切り替えている。図１７（ｂ）では、電話帳画面Ａ３において３つの宛先が選択されており、この状態で宛先確定操作用画像Ｃ１６を押す操作がされると、第２画面切替部１３６は、同報モードの宛先表示画面Ａ６に画面を切り替えている。
【００６３】
例えばユーザが宛先表示画面Ａ２から電話帳画面Ａ３を開いたが、情報を送信すべき宛先が１つではなく２以上であることに気付いた場合、例えば一度宛先表示画面Ａ２に戻ってから画面の切替操作を行って宛先表示画面Ａ６を表示させ、さらに電話帳画面Ａ３を表示させるのは手間がかかる。本変形例では、その場合でも、表示させている電話帳画面Ａ３でそのまま２以上の宛先を指定すれば、同報モードで送信されることになるから、第２画面切替部１３６による画面の切り替えが行われない場合に比べて、ユーザの手間が小さくなる。
【００６４】
［２−３］宛先の削除
同報モードで表示されている宛先を削除して予め定められた数未満（例えば１つ）になったら、単送信モードに切り替えるようにしてもよい。
図１８は本変形例の画像処理装置１０ｃが実現する機能構成を表す。画像処理装置１０ｃは、第１表示制御部１０１と、第２表示制御部１１１と、宛先削除操作受付部１５１と、第３画面切替部１５２とを備える。
【００６５】
宛先削除操作受付部１５１は、その宛先表示画面に表示されている宛先を削除する操作を受け付ける。宛先削除操作受付部１５１は本発明の「受付部」の一例である。宛先を削除する操作は、例えば宛先をフリックする操作や、宛先を長押しすると表示される削除用の画像をタップする操作などである。宛先削除操作受付部１５１は、削除操作を受け付けた宛先を削除するよう第２表示制御部１１１に指示し、第２表示制御部１１１は、指示された宛先を宛先表示画面から削除する。
【００６６】
第２表示制御部１１１は、表示手段に表示させている同報モードの宛先表示画面に含まれている宛先を第３画面切替部１５２に供給する。第２表示制御部１１１は、この宛先の供給を、宛先が追加される度と、宛先が削除される度に行う。第３画面切替部１５２は、宛先削除操作受付部１５１が受け付けた操作により宛先表示画面Ａ６に表示されている宛先の数が予め定められた数以上（以下の例では２以上）からその数未満（以下の例では１つ）になった場合に、宛先表示画面Ａ６から宛先表示画面Ａ２に切り替える。第３画面切替部１５２は本発明の「第３切替部」の一例である。
【００６７】
第３画面切替部１５２は、第２表示制御部１１１から２以上の宛先が供給される状態から１つの宛先が供給される状態になると、その１つの宛先を第１表示制御部１０１に供給して宛先表示画面を表示するよう指示することで、宛先表示画面Ａ６から宛先表示画面Ａ２への画面の切り替えを行う。
【００６８】
図１９は本変形例の画面遷移の一例を表す。図１９では、宛先表示画面Ａ６において３つ指定されていた宛先が「０３−１２３４−ｚｚｚｚ」、「０３−１２３４−ｙｙｙｙ」と順番に１つずつ削除されて、「０３−１２３４−ｘｘｘｘ」という宛先だけになると、第３画面切替部１５２による画面の切り替えが行われて、１つだけ表示されていた「０３−１２３４−ｘｘｘｘ」という宛先を含む宛先表示画面Ａ２が表示される様子が表されている。
【００６９】
本変形例では、ユーザが宛先表示画面Ａ６から宛先表示画面Ａ２に切り替える操作を行わなくても、宛先が予め定められた数未満になるまで削除されれば宛先表示画面Ａ２への切り替えが行われる。これにより、第３画面切替部１５２による画面の切り替えが行われない場合に比べて、ユーザの手間が小さくなる。
【００７０】
［２−４］宛先の引継
実施例では、同報モードの宛先表示画面から単送信モードの宛先表示画面に切り替わる場合に、宛先引継部１３４が宛先を引き継がせたが、これに限らず、単送信モードの宛先表示画面から同報モードの宛先表示画面に切り替わる場合に、宛先引継部１３４が宛先を引き継がせてもよい。この場合、単送信モードで指定されている１つの宛先がそのまま同報モードの宛先表示画面にも表示されることになる。
【００７１】
また、上述した変形例のように第１表示制御部１０１が表示させる宛先表示画面で２以上の宛先が指定されていれば、それらのうちから引き継がせる宛先を選択させてもよいし、全ての宛先を引き継がせてもよい。いずれの場合も、引き継がれた宛先がそのまま利用されれば、宛先が引き継がれない場合に比べて宛先を指定するユーザの手間が小さくなる。
【００７２】
［２−５］引継対象の決定方法１
実施例では、上記のとおり引き継がれる宛先がユーザにより選択されたが、これに限らない。例えば、宛先引継部１３４が、最後に指定された宛先を引き継がせてもよい。その場合、第２表示制御部１１１が、宛先が追加される度に追加された宛先を宛先引継部１３４に供給する。また、画面切替操作受付部１３１が画面を切り替えるための操作を受け付けると、その旨を宛先引継部１３４に通知する。
【００７３】
宛先引継部１３４は、この通知を受け取った場合に、最後に第２表示制御部１１１から供給された宛先を最後に指定された宛先として、第１表示制御部１０１に供給してその宛先を含む宛先表示画面の表示を指示する。宛先引継部１３４はこうして最後に指定された宛先を引き継がせる。
【００７４】
なお、宛先引継部１３４が、最初に指定された宛先を引き継がせてもよい。この場合、宛先引継部１３４は、最初に第２表示制御部１１１から供給された宛先を最初に指定された宛先として指示を行えばよい。ユーザが最初又は最後に指定する宛先は、他の宛先に比べて重要な宛先である可能性が比較的高い。本変形例では、そういった他の宛先に比べて重要な可能性が高い宛先が引き継がれることになる。
【００７５】
［２−６］引継対象の決定方法２
上記変形例の他にも、例えば、各宛先の送信頻度に応じて引き継がれる宛先が決められてもよい。
【００７６】
図２０は本変形例の画像処理装置１０ｄが実現する機能構成を表す。画像処理装置１０ｄは、第１表示制御部１０１と、第２表示制御部１１１と、画面切替操作受付部１３１と、宛先引継部１３４と、情報送信部１４３と、送信履歴記憶部１６１と、引継対象決定部１６２とを備える。
【００７７】
情報送信部１４３は、指定された宛先に情報を送信すると、その宛先を送信履歴記憶部１６１に供給する。送信履歴記憶部１６１は、宛先表示画面Ａ２及び宛先表示画面Ａ６で指定された宛先への送信履歴を記憶する。送信履歴記憶部１６１は本発明の「履歴記憶部」の一例である。送信履歴記憶部１６１は、例えば情報送信部１４３から供給された宛先とその宛先が供給された時刻とを送信履歴として記憶する。
【００７８】
画面切替操作受付部１３１は、宛先表示画面を切り替える操作を受け付けると、その旨を引継対象決定部１６２に通知する。引継対象決定部１６２は、この通知を受け取ると、送信履歴記憶部１６１に記憶されている送信履歴に基づいて宛先の引継対象を決定する。引継対象決定部１６２は、例えば、各宛先の送信履歴が表す送信頻度に応じて宛先の引継対象を決定する。
【００７９】
その場合、引継対象決定部１６２は、送信履歴記憶部１６１に記憶されている送信履歴を読み出し、読み出した送信履歴から送信頻度を各宛先について算出する。引継対象決定部１６２は、算出した送信頻度が例えば閾値以上の宛先を引継対象として決定する。引継対象決定部１６２は、決定した引継対象を宛先引継部１３４に供給する。宛先引継部１３４は、供給された宛先を含む宛先表示画面を表示するよう、切り替え後の宛先表示画面を表示させる表示制御部（第１表示制御部１０１又は第２表示制御部１１１）に指示する。
【００８０】
宛先引継部１３４は、こうして記憶された前記送信履歴が表す送信の頻度に応じて決まる宛先を引き継がせる。なお、宛先引継部１３４は、前述のように送信頻度が閾値以上の宛先を引き継がせるだけでなく、例えば送信頻度が高いものから予め定められた順番までの宛先を引き継がせてもよい。いずれの場合も、送信頻度が高い宛先ほど次の送信でも宛先とされる可能性が高いので、引き継がれた宛先が活用されやすくなる。また、活用された宛先は指定する必要がないので、結果的に、送信頻度に関係なく決まった宛先が引き継がれる場合に比べて、宛先を指定するユーザの手間が小さくなりやすい。
【００８１】
また、宛先引継部１３４は、送信頻度が閾値未満の宛先を引き継がせてもよい。送信頻度が高い宛先ほど、ユーザも慣れているので指定する手間が小さくなりやすいが、反対に、送信頻度が低い宛先ほど、ユーザも慣れていないので指定する手間が大きくなりやすい（ＦＡＸ番号の確認や電話帳から見つけるまでに時間がかかるなど）。そのように手間がかかる宛先を引き継がせることで、送信頻度に関係なく決まった宛先が引き継がれる場合に比べて、宛先を指定するユーザの手間が小さくなりやすい。
【００８２】
［２−７］引継対象の決定方法３
例えば第２表示制御部１１１がテンキー画像の操作により指定された宛先と、図５に表す電話帳画面Ａ３で選択された宛先とを宛先表示画面Ａ６に表示させている場合に、宛先引継部１３４は、テンキー画像の操作により指定された宛先を、電話帳画面Ａ３で選択された宛先よりも優先して引き継がせてもよい。
【００８３】
この場合、第２テンキー操作受付部１１４が、受け付けた操作により指定された数字、つまりテンキー画像の操作により指定された宛先を図２０に表す引継対象決定部１６２に供給し、宛先一覧操作受付部１２３が、ユーザが選択した宛先、つまり電話帳画面Ａ３で選択された宛先を引継対象決定部１６２に供給する。引継対象決定部１６２は、例えば、宛先一覧操作受付部１２３から供給された第１の宛先しかなければそれら第１の宛先のいずれかを引継対象として決定するが、第２テンキー操作受付部１１４から供給された第２の宛先もある場合には、それら第２の宛先のいずれかを引継対象として決定する。
【００８４】
テンキー画像で宛先を示す文字列を入力する操作は、電話帳から宛先を選択する操作よりも手間が大きくなりやすい。本変形例では、そのように手間がかかる操作により指定された宛先を優先して引き継がせるので、宛先の指定方法に関係なく決まった宛先が引き継がれる場合に比べて、切り替え後の宛先表示画面で宛先を指定するユーザの手間が小さくなりやすい。
【００８５】
［２−８］引継対象の決定方法４
宛先表示画面には最初に表示される宛先（これを「宛先の初期値」という）が決まっている場合がある。その場合に、宛先引継部１３４は、宛先の初期値だけを引き継がせるようにしてもよい。つまり、宛先引継部１３４は、宛先の初期値以外の宛先が指定されていても、それらの宛先は引き継がせない。
【００８６】
図２１は本変形例の画面遷移の一例を表す。図２１では、宛先表示画面Ａ６において、宛先の初期値である「０３−１２３４−ａａａａ」と、ユーザが指定した「０３−１２３４−ｘｘｘｘ」及び「０３−１２３４−ｙｙｙｙ」という宛先が表示されている。この場合、宛先引継部１３４は、宛先の初期値である「０３−１２３４−ａａａａ」だけを引き継がせる。その結果、「０３−１２３４−ａａａａ」という宛先を含む宛先表示画面Ａ２が表示される様子が表されている。
【００８７】
本変形例では、ユーザが宛先をどれだけ指定しても、画面が切り替わる際には、必ず宛先の初期値が引き継がれる。これにより、画面の切り替えが行われると、切り替え前の状況に関わらず、毎回決まった状態で宛先表示画面が表示されることになる。
【００８８】
［２−９］画面切り替えの際の宛先の削除
上述した宛先の引き継ぎは行われなくてもよい。その場合、第１表示制御部１０１及び第２表示制御部１１１は、単送信モードの宛先表示画面及び同報モードの宛先表示画面が切り替わる場合に、切り替え前の画面に表示されている宛先を含まない宛先表示画面を表示させる。
【００８９】
図２２は本変形例の画面遷移の一例を表す。図２２（ａ）では、３つの宛先を含む宛先表示画面Ａ６が表示されている状態から、宛先表示画面の切り替えが行われ、宛先表示欄Ｃ１に宛先が含まれていない宛先表示画面Ａ２が表示される様子が表されている。図２２（ｂ）では、「０３−１２３４−ｘｘｘｘ」という宛先を含む宛先表示画面Ａ２が表示されている状態から、宛先表示画面の切り替えが行われ、宛先が１つも含まれていない宛先表示画面Ａ６が表示される様子が表されている。
【００９０】
宛先が引き継がれた場合、その宛先がユーザの送信しようとする宛先と違っていれば、その宛先を削除する操作が必要になる。本変形例では、宛先の引き継ぎが行われないので、宛先表示画面の切り替えが行われた場合に、切り替え後の宛先表示画面で宛先を削除する操作が不要になる。
【００９１】
［２−１０］宛先の記憶
情報が送信された宛先を記憶しておき、後から利用してもよい。
図２３は本変形例の画像処理装置１０ｅが実現する機能構成を表す。画像処理装置１０ｅは、第１表示制御部１０１と、第２表示制御部１１１と、情報送信部１４３と、送信履歴記憶部１６１と、送信済宛先表示制御部１７１とを備える。
【００９２】
情報送信部１４３は、指定された宛先に情報を送信すると、その宛先を送信履歴記憶部１６１に供給する。送信履歴記憶部１６１は、情報送信部１４３により情報が送信された宛先を記憶する。送信済宛先表示制御部１７１は、送信履歴記憶部１６１に記憶されている宛先を表示手段に表示させる。送信履歴記憶部１６１は本発明の「宛先記憶部」の一例であり、送信済宛先表示制御部１７１は本発明の「第５表示制御部」の一例である。
【００９３】
詳細には、送信済宛先表示制御部１７１は、例えば宛先表示画面Ａ２が表示される場合に、宛先表示画面Ａ２で過去に表示された宛先が送信履歴記憶部１６１に記憶されているときには、その宛先を表示させる。また、送信済宛先表示制御部１７１は、宛先表示画面Ａ６が表示される場合に、宛先表示画面Ａ６で過去に表示された宛先が送信履歴記憶部１６１に記憶されているときには、その宛先を表示させる。
【００９４】
図２４は本変形例で表示される宛先表示画面の例を表す。図２４（ａ）では、第１表示制御部１０１が、宛先表示欄Ｃ１の下に、「０３−１２３４−ｘｘｘ１」から「０３−１２３４−ｘｘｘ３」までの３つの宛先を含む送信済み宛先一覧Ｃ７１を含む宛先表示画面Ａ２を表示させている。これらの宛先は、いずれも単送信モードで過去に送信された宛先である。図２４（ｂ）では、第２表示制御部１１１が、「０３−１２３４−ｙｙｙ１」から「０３−１２３４−ｙｙｙ５」までの５つの宛先を含む送信済み宛先一覧Ｃ７１を含む宛先表示画面Ａ２を表示させている。これらの宛先は、いずれも同報モードで過去に送信された宛先である。
【００９５】
本変形例では、一度指定した宛先に情報を送信すると、情報の送信後もそれらの宛先が一覧になって表示される。そのため、一度指定された宛先は、まだ指定されていない宛先に比べて簡単に指定されることになる。
【００９６】
［２−１１］表示手段
実施例では１つの装置（画像処理装置１０）が表示制御部（第１表示制御部１０１及び第２表示制御部１１１等）と表示手段（操作パネル１８）とを備えていたが、別々の装置が表示制御部と表示手段とを備えていてもよい。例えば表示制御部を備える情報処理装置に表示手段であるディスプレイが接続されていて、表示制御部がそのディスプレイを制御して宛先表示画面等を表示させてもよい。
【００９７】
［２−１２］宛先
実施例ではＦＡＸ番号を宛先として画像データが送信されたが、これに限らない。例えば電子メールアドレスを宛先として電子メールが送信されてもよいし、ＳＮＳ（Social Networking Service）のアカウントを宛先として投稿文書が送信されてもよい。これらの宛先が用いられる場合は、宛先を表す各文字をそれぞれ指定する操作を受け付けるための画像として、テンキー画像ではなく、ソフトウェアキーボード画像が用いられる。
【００９８】
［２−１３］発明のカテゴリ
本発明は、上述した画像処理装置のように宛先表示画面等の表示を制御する情報処理装置の他、その情報処理装置が実施する処理を実現するための情報処理方法や、それらの処理をコンピュータに実行させるためのプログラムとしても捉えられる。このプログラムは、それを記憶させた光ディスク等の記録媒体の形態で提供されてもよいし、インターネット等の通信回線を介してコンピュータにダウンロードさせ、それをインストールして利用可能にするなどの形態で提供されてもよい。
【符号の説明】
【００９９】
１０…画像処理装置、１８…操作パネル、１００…宛先画面表示操作受付部、１０１…第１表示制御部、１０２…第１テンキー操作受付部、１１１…第２表示制御部、１１２…テンキー表示操作受付部、１１３…テンキー表示制御部、１１４…第２テンキー操作受付部、１２１…一覧表示操作受付部、１２２…宛先一覧表示制御部、１２３…宛先一覧操作受付部、１３１…画面切替操作受付部、１３２…引継対象表示制御部、１３３…引継対象選択操作受付部、１３４…宛先引継部、１３５…画面切替部、１３６…第２画面切替部、１４１…送信操作受付部、１４２…画像読取部、１４３…情報送信部、１５１…宛先削除操作受付部、１５２…第３画面切替部、１６１…送信履歴記憶部、１６２…引継対象決定部、１７１…送信済宛先表示制御部。
【図１】
0006707932.tif 000002
【図２】
0006707932.tif 000003
【図３】
0006707932.tif 000004
【図４】
0006707932.tif 000005
【図５】
0006707932.tif 000006
【図６】
0006707932.tif 000007
【図７】
0006707932.tif 000008
【図８】
0006707932.tif 000009
【図９】
0006707932.tif 000010
【図１０】
0006707932.tif 000011
【図１１】
0006707932.tif 000012
【図１２】
0006707932.tif 000013
【図１３】
0006707932.tif 000014
【図１４】
0006707932.tif 000015
【図１５】
0006707932.tif 000016
【図１６】
0006707932.tif 000017
【図１７】
0006707932.tif 000018
【図１８】
0006707932.tif 000019
【図１９】
0006707932.tif 000020
【図２０】
0006707932.tif 000021
【図２１】
0006707932.tif 000022
【図２２】
0006707932.tif 000023
【図２３】
0006707932.tif 000024
【図２４】
0006707932.tif 000025